(57)【要約】【課題】  本発明は、例えばガーデニング用の木製プランター、ウッドデッキ、枕木、堆肥の木枠、農園芸用支柱、公園の柵、階段、樹木の添え木、さらには草花を植えた植木鉢の置き台等に使用して好適な防腐処理木材に関する。  従来、木材の防腐効果を目的として、対象とする木材にクレオソートを含浸させることがおこなわれている。  クレオソートに防腐効果があることは古くから知られているが、最近になって、クレオソートには発ガン性物質が含まれているとの報告がある。  本発明の課題は、発ガン性物質が含まれるクレオソートを使用せずとも、安全で、しかも防腐効果に止どまらず、ナメクジに代表される害虫忌避効果等の付帯的効果の点でも優れた防腐処理木材を提供することにある。【解決手段】  前記課題は、防腐効果を目的とする対象木材に木酢液もしくは竹酢液を含浸させることによって達成される。【選択図】  図１
2005111916.tif 000002
【特許請求の範囲】
【請求項１】
木材に木酢液もしくは竹酢液を含浸させて成ることを特徴とする防腐処理木材。
【請求項２】
板状の木材に木酢液もしくは竹酢液を含浸させて成る、請求項１記載の防腐処理木材。
【請求項３】
チップ状の木材に木酢液もしくは竹酢液を含浸させて成る、請求項１記載の防腐処理木材。
【請求項４】
丸太状の木材に木酢液もしくは竹酢液を含浸させて成る、請求項１記載の防腐処理木材。
【発明の詳細な説明】
【技術分野】
【０００１】
本発明は、例えばガーデニング用の木製プランター、ウッドデッキ、枕木、堆肥の木枠、農園芸用支柱、公園の柵、階段、樹木の添え木、さらには草花を植えた植木鉢の置き台等に使用して好適な防腐処理木材に関する。
【背景技術】
【０００２】
従来、木材の防腐効果を目的として、対象とする木材にクレオソートを含浸させることがおこなわれてきた。
【発明の開示】
【発明が解決しようとする課題】
【０００３】
クレオソートに防腐効果があることは古くから知られているが、最近になって、クレオソートには発ガン性物質が含まれているとの報告がある。
【０００４】
本発明の課題は、発ガン性物質が含まれるクレオソートを使用せずとも、安全で、しかも防腐効果に止どまらず、ナメクジに代表される害虫忌避効果等の付帯的効果の点でも優れた防腐処理木材を提供することにある。
【課題を解決するための手段】
【０００５】
前記課題は、防腐効果を目的とする対象木材に木酢液もしくは竹酢液を含浸させることによって達成される。
【０００６】
木酢液の中には２００種類以上もの成分が含まれていて、木酢液の中に含まれる有機成分の濃度が高いと除草や殺菌の効果があり、防腐、防カビ効果の点でも優れている。
【０００７】
濃い木酢液を土壌に潅水することで有用菌の繁殖を助け、植物は病気にかかりにくくなる。
【０００８】
また、木酢液を薄めて植物に葉面散布することで害虫忌避効果が認められている。
【０００９】
さらに、木酢液の中に含まれている成分には、水の分子のかたまりを小さくする働きがあり、アトピー等のアレルギー疾患に対する殺菌効果も期待でき、このようなことから木酢液は、風呂の湯をなめらかにし、かつ殺菌作用を有する入浴剤としても使用されている。
【００１０】
またさらに、木酢液は、ハムや魚等の薫製食品を造るときの原料としても使用されている。
【００１１】
さらにまた、木酢液は、生ゴミの消臭剤としても使用されている。
【００１２】
なお、前記木酢液についての記載は、竹酢液についても同様のことが言える。
【発明の効果】
【００１３】
本発明は、以上のように種々の実績を有する木酢液や竹酢液の特性の中から、特に防腐効果に着目してなされたものであって、本発明によれば、発ガン性物質が含まれるクレオソートを使用せずとも、安全で、しかも防腐効果に止どまらず、ナメクジに代表される害虫忌避効果等の付帯的効果の点でも優れた防腐処理木材を提供することができる。
【発明を実施するための最良の形態】
【００１４】
以下、本発明を、木酢液を使用した場合を例にとり、図面を参照して説明する。
【００１５】
図１において、１は板状に加工された木材、または製材の際はね物として取り出された木材であって、これには木酢液が施され、木酢液含浸層２が形成されている。
【００１６】
ここで、木酢液の製造工程の具体的一例について述べる。
（１）原材料：針葉樹（栂）カナダ産および日本国内産
針葉樹（杉・檜・モミ）日本国内産
（２）木酢液専用の炭窯で煙の温度（８０〜１２０℃）を管理しながら炭を焼き、木酢液を抽出、木炭粒を取り出す。
（３）煙の筒の周りを地下水が循環して強制的に冷却する。
（４）一次タンクで一昼夜寝かせ、タールを分離除去する。
（５）二次タンクへ圧送、１〜２ケ月寝かせて、再びタールを分離除去する。
（６）本タンクへ圧送（２万リットル入り４基）する。
（７）３〜６ケ月静置させた後、ポリ容器に充填して出荷する。この間、静置するのみで、蒸留も精製も一切しない。また、出荷容器に移す際、布、ろ紙を通して充填するが、この時、布、ろ紙にタールは全く付着しない。出荷のポリ容器は不透明なため判りにくいが、透明な容器に移してみると美しい赤褐色をしていて、ピッチや濁りは全く見られない。
【００１７】
なお、木炭粒は、原料が針葉樹の場合、低温で焼かれることから、大変柔らかく微生物が住み着き易いため、土壌改良材として出荷できる。
【００１８】
そして、前記のようにして抽出された木酢液の品質は、
P.H ：2.2〜2.8
比重：1. 028
酸度：8％以上
色調・透明度：赤褐色・透明・浮遊物無し
との検査結果が得られ、発ガン性物質（3.4-ベンツピレン等）は検出されなかった。
【００１９】
次に、前記のようにして抽出された木酢液の検査証明書の内容を下記する。
【００２０】
3.4-ベンツピレン：検出せず
1,2,5,6-ジベンゾアントラセン：検出せず
3-メチルアルコールアンスレン：検出せず
（財団法人  日本食品油脂検査協会に拠る）
なお、木酢液の原材料は広葉樹であってもよい。
【００２１】
本実施形態において、防腐処理木材を得るには、例えば、前記のようにして抽出された木酢液をタンクに入れ、この木酢液の中に木材を２日程度浸漬させる。次に、前記木材をタンクから取り出し、１日程度放置して半乾燥状態とした後、再び木酢液の中に２日程度浸漬させ、十分に木酢液を吸い込んだ木材を取り出す。
【００２２】
そして、板状の防腐処理木材は、木製のプランター用資材、さらには草花を植えた植木鉢の置き台等に使用される。木材には木酢液処理が施されているので、その害虫忌避効果により、ナメクジやアリが寄り付くのを防止することができ、またその臭いが猫を寄せ付けないので猫嫌いな人にとっては好都合であり、さらに木酢液処理した木材は防腐効果があるので、その寿命は長く、クレオソートのように発ガン性物質を含むものでもなく、安全である。
【００２３】
図１においては、板状の木材に木酢液を含浸させた場合について例示したが、板材を細かく砕いたチップ状の木材や丸太に木酢液もしくは竹酢液を含浸させて使用するのも有効である。
【００２４】
その用途は、例えば、草花を植える植木鉢の土の上に前記チップ状の木材をうすく敷きつめる。チップ状の木材には木酢液もしくは竹酢液処理が施されているので、その害虫忌避効果、猫を追い払う効果、防腐効果、安全性は先の板状防腐処理木材の場合と同様である。
【００２５】
他の用途として、雨水の溜り易い公園の歩道等に前記チップ状の木材を撒くように置き、雨の日でも歩き易いようにする。防腐処理しないチップ状の木材を唯単に窪地に撒いただけでは腐りも速いが、先にも述べたように木酢液もしくは竹酢液処理した木材は防腐効果があるので、その寿命は長い。
【００２６】
なお、本発明は、建築資材としての木材に木酢液もしくは竹酢液を含浸させて防腐効果を持たせ、この防腐処理木材を用いて家屋を建築することにより、木材そのものの防腐効果は勿論のこと、白アリを寄せ付けないことによって家の耐用年数を長くすることもできる。
【図面の簡単な説明】
【００２７】
【図１】木材に木酢液を含浸させた、本発明の一実施形態を示す防腐処理木材の断面図である。
【符号の説明】
【００２８】
１…木材、２…木酢液含浸層。
【図１】
2005111916.tif 000003